(57)【要約】【課題】施工性が良好で、設置スペースを小さくでき、且つ容器を安定して設置できる制振装置の提供。【解決手段】支柱１と、液体９を入れる複数の容器２と、容器を支柱に固定する複数の固定具３とを備え、固定具は容器の載置部４を有し、支柱に通して上下に重ねて設置してあり、容器２は、固定具と略同一の上下寸法を有し且つ略中央に支柱の貫通孔５を有する上面視略円形で、内周側下面に被載置部６を有し、外周側上面に上向き傾斜面７を有し、外周側下面に下向き傾斜面８を有し、貫通孔５に支柱１を通し、被載置部６を固定具の載置部４に載置して上下に重ねてあり、下の容器の上向き傾斜面７と上の容器の下向き傾斜面８が当接していることを特徴とする。【選択図】　　　図１
2004019931.tif 000002
【特許請求の範囲】
【請求項１】
支柱と、液体を入れる複数の容器と、容器を支柱に固定する複数の固定具とを備え、固定具は容器の載置部を有し、支柱に通して上下に重ねて設置してあり、容器は、固定具と略同一の上下寸法を有し且つ略中央に支柱の貫通孔を有する上面視略円形で、内周側下面に被載置部を有し、外周側上面に上向き傾斜面を有し、外周側下面に下向き傾斜面を有し、貫通孔に支柱を通し、被載置部を固定具の載置部に載置して上下に重ねてあり、下の容器の上向き傾斜面と上の容器の下向き傾斜面が当接していることを特徴とする制振装置。
【発明の詳細な説明】
【０００１】
【発明の属する技術分野】
本発明は、鉄塔、高層ビル、高層住宅などの建造物の上部に設置し、風等による建造物の揺れを吸収する制振装置に関する。
【０００２】
【従来の技術】
風等によって大きく揺れやすい高層建造物のための制振装置として、容器に液体を封入したものが従来から知られている。建造物はそれぞれに固有の振動数を有しており、制振装置は、容器内で液体が建造物の固有振動数と同じ振動数で揺動するように容器の大きさと液体の量を設計してある。建造物が風等によって揺れると、液体は容器の中で建造物の揺れと同じ振動数で、且つ建造物の揺れを打ち消すように一定の波長分だけずれた位相で揺動するから、建造物の揺れを確実に減衰させることができる。
【０００３】
制振装置の能力は液体の量によって決まり、大きな建造物であれば液体の量を多くしなければならない。特開２００１−２２０９２０号公報には、一体となった大型容器に液体を入れた制振装置であって、液面部に液面振動抑制部材を浸漬して自由に振動し得る液面の面積を変更することにより、液面の振動数を建造物の振動数に一致させ、設置環境に合った制振作用が得られるようにしたものが開示されている。しかし、この装置では広い設置スペースが必要であり、装置の重量が重くなるから、高層建造物の最上部に設置するには施工性が悪かった。
【０００４】
【発明が解決しようとする課題】
本発明は以上に述べたような実情に鑑み、施工性が良好で、設置スペースを小さくでき、且つ容器を安定して設置できる制振装置の提供を目的とする。
【０００５】
【課題を解決するための手段】
上記の課題を達成するために本発明の制振装置は、支柱と、液体を入れる複数の容器と、容器を支柱に固定する複数の固定具とを備え、固定具は容器の載置部を有し、支柱に通して上下に重ねて設置してあり、容器は、固定具と略同一の上下寸法を有し且つ略中央に支柱の貫通孔を有する上面視略円形で、内周側下面に被載置部を有し、外周側上面に上向き傾斜面を有し、外周側下面に下向き傾斜面を有し、貫通孔に支柱を通し、被載置部を固定具の載置部に載置して上下に重ねてあり、下の容器の上向き傾斜面と上の容器の下向き傾斜面が当接していることを特徴とする。
【０００６】
【発明の実施の形態】
以下、本発明の実施の形態を図面に基づいて説明する。図１から図３は本発明の制振装置の一実施形態を示しており、図１は容器の拡大した縦断面図、図２が全体の縦断面図、図３が全体の平面図である。この制振装置は、一本の支柱１と、液体を入れた複数の容器２と、容器２を支柱１に固定する固定具３とで構成されている。各容器２は上面視円形で、底の浅い扁平な形をしており、中央に貫通孔５を設けてあって、貫通孔５に支柱１を通して上下に重ねて設置してある。
【０００７】
支柱１は鉄製の丸いパイプを用いており、下端部をベース板１０に固定して鉛直に立設してある。ベース板１０は建造物の床面１１にアンカーボルト１２で固定してある。固定具３は、支柱１の外周に嵌め入れるアルミ製の円筒状の部材で、下端部に容器２の載置部４がつば状に形成してある。
【０００８】
容器２は、底壁１３と外周壁１４と内周壁１５が一体になった容器本体１６に、ゴムパッキン１７を挟んで蓋部材１８を上からかぶせ、蓋部材１８の外周縁部と内周縁部を容器本体の外周壁１４と内周壁１５の上縁部に巻き付けるように折り曲げて、気密性を有する密閉した容器に形成してある。容器本体１６の下面側の貫通孔５のまわりには、底壁１３よりも一段高くなった被載置部６を設けてある。蓋部材１８には注水口１９を設けてあって、液体９を入れた後に注水口はキャップで塞がれる。なお、容器製作過程で液体を予め注入しておく場合は、注水口は必ずしも設けてなくてもよい。蓋部材１８の外周部には上向き傾斜面７を有し、容器本体１６下面の外周部には下向き傾斜面８を有している。上向き傾斜面７と下向き傾斜面８は、内周側から外周側にかけて高くなる同じ角度で傾斜している。また、容器２の上下方向の寸法は、固定具３の上下方向の寸法とほぼ同じにしてある。容器本体１６と蓋部材１８は、アルミの薄い板をプレス加工して成形したもので、表面には陽極酸化皮膜とフッ素皮膜処理が施されており、軽量でしかも屋外での長期間の使用にも耐えうるものとなっている。また、蓋部材１８と容器本体１６の底面には、プレス加工によって半径方向の補強部２２，２３を４本ずつ形成してあって、液体９の自重や揺動する液体９のエネルギーによって容器が変形することを防止している。
【０００９】
この制振装置を設置する手順を述べると、まずベース板１０を設置場所の床面１１にアンカーボルト１２で固定し、支柱１を鉛直に立設する。つぎに固定具３を一つ載置部４を下にして支柱１に通した後、液体を入れた容器２を支柱１に通し、容器底面の被載置部６を固定具の載置部４に載置する。後は同じように固定具３、容器２を順に支柱１に通して重ねていくだけで容器２の据え付けができる。固定具３と容器２の上下方向寸法が略同一であるため、容器２と容器２の間にほとんど隙間が開かないない状態で設置される。本制振装置は、容器２を支柱１にボルトで固定したりする必要がないから、極めて簡単に短時間で施工できる。また上下に重ねた容器２は、図１に示すように、蓋部材１８の外周部に設けた上向き傾斜面７と、その上に重なる容器の下面側外周部に設けた下向き傾斜面８とが当接するようになっている。このように、各容器２が外周部の傾斜面で互いに当接していることで、単に重ねただけの容器２が液体の重みで支柱１側に安定して保持され、また建造物が揺れたときにも、容器２に加わる揺れの外力がその上下にある容器２に伝わって全体に分散されることから、容器２が傾いて装置の構成に変形が生ずることがない。
【００１０】
この制振装置は、積み上げる容器２の数を適宜変更するだけで制振能力を簡単に変えることができ、大きな建造物には容器２の数を多く、小さな建造物には容器２の数を少なくすれば良い。また、容器２内の液体の振動数を建造物の固有振動数に厳密に一致させるのは容易ではないので、容器２に入れる液体９の量を少しずつ違わせ、数種類の固有振動数を持つ容器２を組み合わせて構成すれば、液体９の量を建造物ごとに調整しなくても、幅広い振動数レンジで制振作用を発揮するものとなる。
【００１１】
積み上げる容器２の数にも限界があり、大型のビルなどで一本の支柱１に設置する容器の数では足らない場合には、図４に示すように、複数本の支柱１を立てて、支柱ごとに容器２を重ねて設置する。支柱１の上端部は連結具２０で連結しておく。また、図５は通信鉄塔２１上に制振装置を設置する場合の実施形態の例を示しており、通信鉄塔２１の上面に容器の荷重が均等にかかるように、積み重ねた容器２を分布して配置してある。容器２は下から見てもほとんど目立たず、外観を損なわない。
【００１２】
【発明の効果】
本発明の制振装置は、固定具と容器を、支柱に通して順番に重ねていくだけで組み立てられることから施工性が極めて良好であり、また容器を上下に重ねることで設置スペースを小さくできる。また、各容器は中央を固定具で支持するとともに、外周部が上下の容器と傾斜面で互いに当接していることにより、各容器の設置状態が安定し、また容器に加わる揺れの外力が、その上下にある容器に伝わって全体に分散されることから、容器が傾いて装置の構成に変形が生ずることがない。さらに本発明の制振装置は、重ねる容器の数を変更するだけで、建造物の規模に合わせて能力を簡単に変えることができる。
【図面の簡単な説明】
【図１】本発明の制振装置の容器の部分を拡大して示す縦断面図である。
【図２】本発明の制振装置の縦断面図である。
【図３】本発明の制振装置の平面図である。
【図４】本発明の制振装置の別の実施形態を示す斜視図である。
【図５】本発明の制振装置の別の実施形態を示す斜視図である。
【符号の説明】
１　支柱
２　容器
３　固定具
４　載置部
５　貫通孔
６　被載置部
７　上向き傾斜面
８　下向き傾斜面
９　液体
【図１】
2004019931.tif 000003
【図２】
2004019931.tif 000004
【図３】
2004019931.tif 000005
【図４】
2004019931.tif 000006
【図５】
2004019931.tif 000007